(57)【特許請求の範囲】
【請求項１】
対向する一対の側部並びに両側部を連結する連結部を有し側部と連結部とで囲まれた開口窓に配線器具の一部を挿入した形で当該配線器具を保持する金属製の枠本体と、枠本体を壁面のような造営面に固定する固定手段と、一方の側部から開口窓側へ突出し配線器具の一方の側面に設けた溝部と係合する係合突起と、他方の側部に取着され配線器具の他方の側面に設けた突出部と係脱自在に係止する係止部材とを備え、前記係止部材は、他方の側部に固定される固定片と、該固定片に一端が連結された可撓性を有する撓み片と、該撓み片の他端に連結され他方の側部の背面側に配置されて他方の側部の背面との間で配線器具の突出部を狭持する狭持片とを一体に形成して成り、他方の側部の背面側に配置され該側部に連結部を介して一体に連結された枠片を設け、前記枠片と他方の側部との間にできる隙間を通して前記狭持片を配線器具側に突出させるとともに、狭持片を背面側に押圧することにより狭持片と突出部との係止状態を解除するための工具の先端と当接して該工具の押し込み量を規制する規制突起を、前記隙間に臨む枠片の側縁から前記隙間側に向けて突設したことを特徴とする取付枠。
【請求項２】
上記固定片における開口窓側の側縁から開口窓側に延設され、開口窓から前面側に突出する器具本体の部位と弾接して、器具本体を一方の側部側に付勢する弾性片を係止部材に設けたことを特徴とする請求項１記載の取付枠。
【請求項３】
上記固定片は、他方の側部の前面にかしめ固定されることを特徴とする請求項１記載の取付枠。
【請求項４】
上記固定片は他方の側部の前面に固定され、上記撓み片は固定片の外側縁から延設され、先端が背面側に突出して上記狭持片に結合されることを特徴とする請求項１記載の取付枠。
【請求項５】
上記狭持片の開口窓側の側縁から背面側に突出し、背面側に行くほど外側への突出量が大きくなるような断面形状に形成され、配線器具の取付時に配線器具の突出部をガイドするガイド片を係止部材に設けたことを特徴とする請求項１記載の取付枠。
【請求項６】
上記狭持片と上記ガイド片との連結部位に開口窓側に行くほど側部の背面から遠ざかるように傾斜し、配線器具を取り外す際に上記工具の先端が当接するテーパ面を設けたことを特徴とする請求項５記載の取付枠。
【請求項７】
配線器具の突出部は、他方の側部の背面と狭持片の対向面との間に弾性狭持されることを特徴とする請求項１記載の取付枠。
【発明の詳細な説明】
【０００１】
【発明の属する技術分野】
本発明は、スイッチやコンセントなどの配線器具を壁面などの造営面に埋込配設するために用いられる取付枠に関するものである。
【０００２】
【従来の技術】
従来より、スイッチやコンセントのような配線器具を壁面等の造営面に埋込配設するために、図８に示すような金属製の取付枠Ａが用いられている。この取付枠Ａは、壁に埋設された埋込ボックス６０の開口面側に取付ねじ（ボックスねじ）６１，６１によって取り付けられ、さらに合成樹脂製のプレート枠６２がねじ６３，６３により前面に取着されるとともに、プレート枠６２の前面に化粧プレート６４が被着されるようになっている。
【０００３】
また、取付枠Ａの両側部２ａ，２ｂには配線器具５０の組立枠５２，５２に設けられた溝部５２ａに係合する係合突起５ａ，５ｂが設けられ、且つ一方の側部２ｂに溝孔６５が設けられて開口窓４との間で薄肉部６６が形成されている。ここで、取付枠Ａへの配線器具５０の取り付けは、配線器具５０の一部を取付枠Ａの開口窓４に挿入するようにして一方の側部２ａの係合突起５ａを片側の組立枠５２の溝部５２ａに係合し、溝孔６５にドライバ等の工具を挿入してこじることにより薄肉部６６を突出変形させて他方の側部２ｂの係合突起５ｂを反対側の組立枠５２の溝部５２ａに係合することで行われる。
【０００４】
この取付枠Ａでは、配線器具５０を取付枠Ａに取り付ける際に、取付枠Ａの開口窓４に一部を挿入した状態に配線器具５０を作業者が手で位置決めし且つ保持しながらドライバ等の工具によって薄肉部６６を突出変形させなければならず、作業性が悪いという問題があった。
【０００５】
そこで、図９（ａ）（ｂ）に示すように、一方の側部２ｂの裏面に、配線器具５０の組立枠５２に突設された係止爪５２ｂと係脱自在に弾性係止する係止部材４０を溶着又はかしめ固定した取付枠Ａが提供されている。係止部材４０は可撓性を有する材料から形成され、側部２ｂの裏面に固定される固定片４１と、固定片４１の開口窓側の側縁から延設され背面側に向かって突出する断面略Ｕ字状の撓み片４２と、撓み片４２の先端部から前面側に向かって突出し上記係止爪５２ｂと係止する係止段部４４，４４が形成された係止片４３とで構成される。尚、係止片４３に対応する側部２ｂの部位には枠本体１を貫通する貫通孔１９が穿設されており、係止片４３の先端は貫通孔１９を介して枠本体１の前面側に突出する。
【０００６】
而して、この取付枠Ａに配線器具５０を取り付ける際は、配線器具５０の一部（すなわち、器具本体５１の前面に突出するボス部５１ａ）を枠本体１の背面側から開口窓４内に挿入するようにして、一方の組立枠５２の溝部５２ａに一方の側部２ａに設けた係合突起５ａを係合させる。そして、他方の組立枠５２の係止爪５２ｂ，５２ｂを係止部材４０の係止片４３と当接させた状態で、配線器具５０を取付枠Ａの背面側から前面側に押し込むと、係止爪５２ｂ，５２ｂによって係止片４３が外側に押圧され、撓み片４２が撓められるので、係止片４３が外側に押し広げられる。そこからさらに器具本体５１を枠本体１の方へ押し付けると、係止爪５２ｂ，５２ｂが係止片４３に設けた係止段部４４，４４に嵌まり込み、係止部材４０のばね復帰力によって係止爪５２ｂ，５２ｂが係止段部４４，４４とそれぞれ係止し、器具本体５０が取付枠Ａに取り付けられるのである。
【０００７】
一方、取付枠Ａから配線器具５０を取り外す際は、貫通孔１９から前面側に突出する係止片４３の部位を外側に押圧すると、撓み片４２が撓められて、係止片４３が外側に押し広げられるので、配線器具５０の係止爪５２ｂ，５２ｂと係止段部４４，４４との係止状態が解除され、配線器具５０を取付枠Ａから容易に取り外すことが出来る。
【０００８】
【発明が解決しようとする課題】
上述した後者の取付枠Ａでは、取付枠Ａから配線器具５０を取り外す際に、係止片４３を外側に押圧し、係止部材４０を弾性変形させることによって、配線器具５０の係止爪５２ｂと係止段部４４との係止状態を解除しているが、係止片４３の変形量は規制されていないので、係止片４３が塑性変形してしまい、配線器具５０を取り付けれなくなる虞があった。
【０００９】
また、配線器具５０の係止爪５２ｂは係止段部４４と係止しているだけなので、配線器具５０を取付枠Ａに取り付けた際に配線器具５０ががたつくという問題があった。
【００１０】
さらに、配線器具５０の係止爪５２ｂ，５２ｂは係止段部４４，４４の端縁（エッジ部）上に載置されており、接触面積が小さいので、取付枠Ａに取り付けられた配線器具５０に外力が加わった場合、係止爪５２ｂと係止段部４４との接触部位にかかる応力が大きくなり、配線器具５０或いは係止部材４０が破損するという問題があった。
【００１１】
また、取付枠Ａに配線器具５０を着脱する際、係止部材４０の撓み片４２が弾性変形するのであるが、撓み片４２は固定片４１の開口窓側の端縁と係止片４３との間を連結しているので、撓み片４２のスパンが短く、撓み片４２の弾性係数が大きくなって、配線器具５０の着脱時に大きな力が必要になるという問題があった。
【００１２】
本発明は上記問題点に鑑みて為されたものであり、その目的とするところは、配線器具の着脱作業が容易で、着脱作業時の破損を防止した取付枠を提供することにある。また、請求項２の発明の目的とするところは、上記目的に加えて、配線器具のがたつきを防止した取付枠を提供することにある。さらに、請求項４乃至６の発明の目的とするところは、上記目的に加えて、着脱作業をさらに容易にした取付枠を提供することにあり、請求項７の発明の目的とするところは、上記目的に加えて、外力による配線器具の破損を防止した取付枠を提供することにある。
【００１３】
【課題を解決するための手段】
上記目的を達成するために、請求項１の発明では、対向する一対の側部並びに両側部を連結する連結部を有し側部と連結部とで囲まれた開口窓に配線器具の一部を挿入した形で当該配線器具を保持する金属製の枠本体と、枠本体を壁面のような造営面に固定する固定手段と、一方の側部から開口窓側へ突出し配線器具の一方の側面に設けた溝部と係合する係合突起と、他方の側部に取着され配線器具の他方の側面に設けた突出部と係脱自在に係止する係止部材とを備え、前記係止部材は、他方の側部に固定される固定片と、該固定片に一端が連結された可撓性を有する撓み片と、該撓み片の他端に連結され他方の側部の背面側に配置されて他方の側部の背面との間で配線器具の突出部を狭持する狭持片とを一体に形成して成り、他方の側部の背面側に配置され該側部に連結部を介して一体に連結された枠片を設け、前記枠片と他方の側部との間にできる隙間を通して前記狭持片を配線器具側に突出させるとともに、狭持片を背面側に押圧することにより狭持片と突出部との係止状態を解除するための工具の先端と当接して該工具の押し込み量を規制する規制突起を、前記隙間に臨む枠片の側縁から前記隙間側に向けて突設したことを特徴とし、配線器具の溝部を係合突起と係合させるとともに、配線器具の突出部を側部の背面と狭持片との間で弾性狭持することによって配線器具が取付枠に取り付けられるので、配線器具の取付作業を容易に行え、しかも工具の先端で狭持片を背面側に押圧し、撓み片を外側に押し広げることによって突出部と狭持片との係止状態を解除して配線器具を取付枠から容易に取り外すことができ、且つ、側部と一体に設けられた枠片の側縁には、工具の背面側への押し込み量を規制する規制突起が設けられているので、工具の背面側への押し込み量を規制して、撓み片の撓み量を規制することができ、撓み片の塑性変形を防止することができる。
【００１４】
請求項２の発明では、請求項１の発明において、上記固定片における開口窓側の側縁から開口窓側に延設され、開口窓から前面側に突出する器具本体の部位と弾接して、器具本体を一方の側部側に付勢する弾接片を係止部材に設けたことを特徴とし、弾接片により配線器具が一方の側部側に付勢されているので、溝部と係合突起との間の隙間によって配線器具ががたつくのを防止できる。
【００１５】
請求項３の発明では、請求項１の発明において、上記固定片は、他方の側部の前面にかしめ固定されることを特徴とし、他方の側部には背面側に突出する枠片が一体に形成されているので、固定片が他方の側部の背面にかしめ固定されている場合は、枠本体の打ち抜き加工を行った後に、枠本体を裏返す作業が必要になるが、固定片は他方の側部の前面側にかしめ固定されているので、打ち抜き加工を行った後に枠本体を裏返す作業が不要になり、取付枠の組立作業性が向上する。
【００１６】
請求項４の発明では、請求項１の発明において、上記固定片は他方の側部の前面に固定され、上記撓み片は固定片の外側縁から延設され、先端が背面側に突出して上記挟持片に結合されることを特徴とし、撓み片の一端は他方の側部の前面に固定された固定片に連結され、他端は他方の側部の背面側に配置された挟持片に連結されているので、撓み片のスパンを長くとることができ、撓み片を撓みやすくして、配線器具の着脱作業を容易に行うことができる。
【００１７】
請求項５の発明では、請求項１の発明において、上記挟持片の開口窓側の側縁から背面側に突出し、背面側に行くほど外側への突出量が大きくなるような断面形状に形成され、配線器具の取付時に配線器具の突出部をガイドするガイド片を係止部材に設けたことを特徴とし、配線器具の一部を枠本体の背面側から開口窓内に挿入するようにして配線器具の溝部を一方の側部の係合突起に係止させるとともに、配線器具の突出部をガイド片に当接させた状態から、配線器具を前面側に押し込むと、突出部がガイド片に沿って移動し、側部の背面と挟持片との間にスムーズに係止させることができる。
【００１８】
請求項６の発明では、請求項５の発明において、上記挟持片と上記ガイド片との連結部位に開口窓側に行くほど側部の背面から遠ざかるように傾斜し、配線器具を取り外す際に上記工具の先端が当接するテーパ面を設けたことを特徴とし、工具によってテーパ面を背面側に押圧すると、工具の先端がテーパ面に沿って背面側に移動することにより、撓み片が外側に押し撓められ、挟持片と配線器具の突出部との係止状態を解除することができるのであるが、工具の先端はテーパ面に当接しているので、工具の先端と当接する挟持片の部位が側部の背面と略平行な平面に形成されている場合に比べて、工具を背面側に押し込みやすくなり、配線器具の取り外し作業を容易に行うことができる。
【００１９】
請求項７の発明では、請求項１の発明において、配線器具の突出部は、他方の側部の背面と挟持片の対向面との間に弾性挟持されることを特徴とし、突出部が挟持片のエッジ部と当接している場合に比べて、突出部と挟持片との接触面積が大きくなるから、配線器具に外力が加わった場合に突出部と挟持片との接触部位に加わる応力が低減され、配線器具や取付枠が破損するのを防止することができる。
【００２０】
【発明の実施の形態】
図１乃至図７を参照して本発明の実施形態を説明する。この取付枠Ａの枠本体１は金属製であって、対向する一対の側部２ａ，２ｂと、両側部２ａ，２ｂを連結する連結部３，３と、側部２ａ，２ｂ及び連結部３，３で囲まれた開口窓４とを有する矩形枠状に形成されている。また、各連結部３，３には、枠本体１を埋込ボックス６０に取り付けるための取付ねじ６１（図８参照）が挿通される長孔状のねじ挿通孔３ａと、壁面を形成する壁パネル等の壁材に枠本体１を取り付けるための挟み金具（図示せず）が係止される挟み金具係止溝３ｂと、壁面等の造営面に直付けするためのねじが挿通されるねじ挿通孔３ｃと、プレート枠６２を取り付けるためのねじ６３が螺合するねじ孔３ｄとが設けてある。ここに、ねじ挿通孔３ａ，３ｃや挟み金具係止溝３ｂなどから、枠本体１を壁面のような造営面に固定する固定手段が構成される。ここで、本実施形態においては、規格化された単位寸法の配線器具（例えば、日本工業規格に規定された大角形連用配線器具（ＪＩＳ  Ｃ  ８３０４参照）の１個モジュール寸法）を短幅方向に３個並べて取り付けることができるように枠本体１並びに開口窓４の寸法が設定してある。
【００２１】
一対の側部２ａ，２ｂの内、一方の側部２ａは長手方向に沿った外側（開口窓４と反対側）の端縁が前方へ折曲されており、側部２ａの長手方向に沿った内側（開口窓４に臨む側）の端縁には、開口窓４側に突出し配線器具５０の組立枠５２に設けた溝部５２ａに係合する係合突起５が長手方向に沿って等間隔に３個設けてある。
【００２２】
他方の側部２ｂの長手方向に沿った外側縁からは背面側に突出する枠片６が側部２ｂと一体に設けてあり、枠片６の両端部は側部２ｂに連結部６ａ，６ａを介して連結されている。また枠片６の中間部は側部２ｂから一体に延設された幅狭の一対の支持リブ６ｂ，６ｂによって支持されており、枠片６と側部２ｂとの間にできる隙間が上記支持リブ６ｂ，６ｂによって３つの部分（以下、各部分をスリット７と言う。）に略３等分される。また各スリット７に臨む枠片６の側縁にはスリット７側に突出する規制突起６ｃがそれぞれ突設されている。
【００２３】
また、側部２ｂには、配線器具５０の組立枠５２に設けた係止爪（突出部）５２ｂと係脱自在に係止する係止部材２０が取着される。係止部材２０は可撓性を有する材料から形成され、側部２ｂの前面にかしめ固定される長尺の固定片２１を有し、固定片２１の内側縁（開口窓４に臨む側の側縁）における各係合突起５との対向部位からは前面側に突出する３個の弾接片２２が一体に延設されている。弾接片２２は断面略く字状に形成されており、中間部が両端部に比べて開口窓４側に突出している。また固定片２１の外側縁（開口窓４と反対側の側縁）における各スリット７に対応する部位には、側部２ｂ背面に対向配置され側部２ｂ背面との間に配線器具５０の係止爪５２ｂ，５２ｂを弾性狭持する狭持片２４が断面略円弧状の撓み片２３を介して一体に連結されており、狭持片２４の内側縁からは背面側に向かって突出するガイド片２５が延設されている。ここに、各狭持片２４は側部２ｂと枠片６との間のスリット７を介して開口窓４側に突出している。
【００２４】
尚、ガイド片２５の先端には先端ほど外側への突出量が大きくなるように傾斜するテーパ面２５ａが形成されている。テーパ面２５ａの先端縁略中央には上述した規制突起６ｃが入り込む切欠部２５ｂが形成されており、テーパ面２５ａが規制突起６ｃと干渉するのを防止している。また、撓み片２３には、固定片２１と挟持片２４との連結方向に沿って、撓み片２３を貫通する器具外し孔２６が穿設されている。
【００２５】
ここで、固定片２１の両端部及び固定片２１における各弾接片２２の間の部位には固定片２１を貫通するピン挿通孔２７が穿設され、側部２ｂの前面にはピン挿通孔２７に挿通される取付ピン８が突設してある。而して、側部２ｂの前面に係止部材２０の固定片２１を載置し、取付ピン８を固定片２１のピン挿通孔２７に挿通して、取付ピン８の先端部分を機械的に潰すことで側部２ｂに係止部材２０が固定される。本実施形態の取付枠Ａでは側部２ｂの背面側に枠片６を突設しているので、従来のように側部２ｂの裏面側に係止部材をかしめ固定する場合は、枠本体１の打ち抜き加工を行った後、枠本体１を裏返して係止部材２０を側部２ｂの裏面にかしめ固定しなければならず、枠本体１を裏返す作業が必要となるが、本実施形態の取付枠Ａでは側部２ｂの前面に係止部材２０をかしめ固定しているので、枠本体１を裏返す作業が必要なく、取付枠Ａの組立作業性が向上する。
【００２６】
而して、この取付枠Ａに配線器具５０を取り付ける際は、配線器具５０の一部（すなわち、器具本体５１の前面に突出するボス部５１ａ）を枠本体１の背面側から開口窓４内に挿入するようにして、一方の組立枠５２の溝部５２ａに一方の側部２ａに設けた係合突起５を係合させる。そして、他方の組立枠５２の係止爪５２ｂ，５２ｂを係止部材２０のガイド片２５に設けたテーパ面２５ａに当接させた状態で、配線器具５０を取付枠Ａの背面側から前面側に押し込むと、係止爪５２ｂ，５２ｂがガイド片２５のテーパ面２５ａにガイドされて、側部２ｂの背面と挟持片２４との間にスムーズに係止させることができる。
【００２７】
上述のように係止部材２０の固定片２１内側縁からは弾接片２２が一体に延設されており、弾接片２２の中間部は開口窓４側に突出しているので、取付枠Ａに配線器具５０を取り付けると、弾接片２２が配線器具５０の組立枠５２に弾接する。ところで、配線器具５０は、一方の組立枠５２に設けた溝部５２ａを側部２ａに設けた係合突起５に係合させる共に、他方の組立枠５２に設けた係止爪５２ｂ，５２ｂを側部２ｂ背面と挟持片２４との間で弾性挟持させることによって、取付枠Ａに取り付けられているので、溝部５２ａと係合突起５との間にできる隙間によって配線器具５０ががたつく虞があるが、弾接片２２が配線器具５０の組立枠５２と弾接しているので、弾接片２２のばね力によって配線器具５０が側部２ａ側に押し付けられるから、配線器具５０のがたつきを防止することができる。
【００２８】
また、配線器具５０の係止爪５２ｂ，５２ｂは側部２ｂ背面と挟持片２４との間に弾性挟持されており、挟持片２４における側部２ｂ背面と対向する面上に係止爪５２ｂ，５２ｂが載置されているので、従来の取付枠に比べて挟持片２４と係止爪５２ｂ，５２ｂとの接触面積が大きくなり、取付枠Ａに取り付けられた配線器具５０に外力が加わった場合に、挟持片２４と係止爪５２ｂ，５２ｂとの接触部位に加わる応力を低減でき、配線器具５０或いは係止部材４０が破損するのを防止できる。
【００２９】
一方、配線器具５０を取付枠Ａから取り外す際は、図５に示すように撓み片２３に設けた器具外し孔２６に例えばマイナスドライバのような工具Ｂの先端を挿入し、工具Ｂの先端で挟持片２４を背面側に押圧すると、挟持片２４を背面側に押圧する力によって撓み片２３が外側に押し撓められるので、配線器具５０の係止爪５２ｂ，５２ｂと係止部材２０との係止状態を解除することができ、配線器具５０を容易に取り外すことができる。
【００３０】
ここで、スリット７に臨む枠片６の上側縁からはスリット７側に突出する規制突起６ｃが突設されており、器具外し孔２６内に挿入された工具Ｂの先端が規制突起６ｃと当接することによって、工具Ｂの挿入量、すなわち撓み片２３の撓み量を規制することができるので、撓み片２３が塑性変形するのを防止できる。
【００３１】
また、挟持片２４とガイド片２５との連結部位には絞り加工を施すことによって、開口窓４側に行くほど側部２ｂ背面から遠ざかるように傾斜するテーパ面２８が形成されているので、配線器具５０を取り外す際に器具外し孔２６内に挿入された工具Ｂの先端はテーパ面２８と当接する。この状態からさらに工具Ｂを背面側へ押し込もうとすると、工具Ｂの先端によってテーパ面２８が背面側に押圧され、工具Ｂの先端がテーパ面２８に沿って背面側に移動することにより、撓み片２３が外側に押し撓められるので、工具Ｂの先端と当接する挟持片２４の部位が側部２ｂ背面と略平行な面に形成されている場合に比べて、工具Ｂを背面側に挿入しやすくなり、配線器具５０の取り外し作業を容易に行うことができる。
【００３２】
また、撓み片２３は、側部２ｂの前面側にかしめ固定された固定片２１の外側縁から外方へ突出しており、その先端は側部２ｂの背面側に配置される挟持片２４と結合されているので、撓み片２３のスパンを長くとることができる。したがって、撓み片２３の弾性係数が小さくなり、撓み片２３を撓みやすくして、配線器具５０の着脱作業を容易に行うことができる。
【００３３】
ところで本実施形態では、取付枠Ａに取り付けられる３個の配線器具を１つの係止部材２０で保持しているが、図７に示すように個々の配線器具を保持する係止部材２０’を別体に形成し、３個の係止部材２０’を取付枠Ａの側部２ｂに取り付けるようにしても良い。なお、本実施形態では個々の配線器具を保持する係止部材を一体化しているので、係止部材を別体に形成した場合に比べて、係止部材２０の取付作業を容易に行うことができる。
【００３４】
【発明の効果】
上述のように、請求項１の発明は、対向する一対の側部並びに両側部を連結する連結部を有し側部と連結部とで囲まれた開口窓に配線器具の一部を挿入した形で当該配線器具を保持する金属製の枠本体と、枠本体を壁面のような造営面に固定する固定手段と、一方の側部から開口窓側へ突出し配線器具の一方の側面に設けた溝部と係合する係合突起と、他方の側部に取着され配線器具の他方の側面に設けた突出部と係脱自在に係止する係止部材とを備え、前記係止部材は、他方の側部に固定される固定片と、該固定片に一端が連結された可撓性を有する撓み片と、該撓み片の他端に連結され他方の側部の背面側に配置されて他方の側部の背面との間で配線器具の突出部を狭持する狭持片とを一体に形成して成り、他方の側部の背面側に配置され該側部に連結部を介して一体に連結された枠片を設け、前記枠片と他方の側部との間にできる隙間を通して前記狭持片を配線器具側に突出させるとともに、狭持片を背面側に押圧することにより狭持片と突出部との係止状態を解除するための工具の先端と当接して該工具の押し込み量を規制する規制突起を、前記隙間に臨む枠片の側縁から前記隙間側に向けて突設したことを特徴とし、配線器具の溝部を係合突起と係合させるとともに、配線器具の突出部を側部の背面と狭持片との間で弾性狭持することによって配線器具が取付枠に取り付けられるので、配線器具の取付作業を容易に行え、しかも工具の先端で狭持片を背面側に押圧し、撓み片を外側に押し広げることによって突出部と狭持片との係止状態を解除して配線器具を取付枠から容易に取り外すことができ、且つ、側部と一体に設けられた枠片の側縁には、工具の背面側への押し込み量を規制する規制突起が設けられているので、工具の背面側への押し込み量を規制して、撓み片の撓み量を規制することができ、撓み片の塑性変形を防止できるという効果がある。
【００３５】
請求項２の発明は、請求項１の発明において、上記固定片における開口窓側の側縁から開口窓側に延設され、開口窓から前面側に突出する器具本体の部位と弾接して、器具本体を一方の側部側に付勢する弾接片を係止部材に設けたことを特徴とし、弾接片により配線器具が一方の側部側に付勢されているので、溝部と係合突起との間の隙間によって配線器具ががたつくのを防止できるという効果がある。
【００３６】
請求項３の発明は、請求項１の発明において、上記固定片は、他方の側部の前面にかしめ固定されることを特徴とし、他方の側部には背面側に突出する枠片が一体に形成されているので、固定片が他方の側部の背面にかしめ固定されている場合は、枠本体の打ち抜き加工を行った後に、枠本体を裏返す作業が必要になるが、固定片は他方の側部の前面側にかしめ固定されているので、打ち抜き加工を行った後に枠本体を裏返す作業が不要になり、取付枠の組立作業性が向上するという効果がある。
【００３７】
請求項４の発明は、請求項１の発明において、上記固定片は他方の側部の前面に固定され、上記撓み片は固定片の外側縁から延設され、先端が背面側に突出して上記挟持片に結合されることを特徴とし、撓み片の一端は他方の側部の前面に固定された固定片に連結され、他端は他方の側部の背面側に配置された挟持片に連結されているので、撓み片のスパンを長くとることができ、撓み片を撓みやすくして、配線器具の着脱作業を容易に行えるという効果がある。
【００３８】
請求項５の発明は、請求項１の発明において、上記挟持片の開口窓側の側縁から背面側に突出し、背面側に行くほど外側への突出量が大きくなるような断面形状に形成され、配線器具の取付時に配線器具の突出部をガイドするガイド片を係止部材に設けたことを特徴とし、配線器具の一部を枠本体の背面側から開口窓内に挿入するようにして配線器具の溝部を一方の側部の係合突起に係止させるとともに、配線器具の突出部をガイド片に当接させた状態から、配線器具を前面側に押し込むと、突出部がガイド片に沿って移動し、側部の背面と挟持片との間にスムーズに係止させることができるという効果がある。
【００３９】
請求項６の発明は、請求項５の発明において、上記挟持片と上記ガイド片との連結部位に開口窓側に行くほど側部の背面から遠ざかるように傾斜し、配線器具を取り外す際に上記工具の先端が当接するテーパ面を設けたことを特徴とし、工具によってテーパ面を背面側に押圧すると、工具の先端がテーパ面に沿って背面側に移動することにより、撓み片が外側に押し撓められ、挟持片と配線器具の突出部との係止状態を解除することができるのであるが、工具の先端はテーパ面に当接しているので、工具の先端と当接する挟持片の部位が側部の背面と略平行な平面に形成されている場合に比べて、工具を背面側に押し込みやすくなり、配線器具の取り外し作業を容易に行えるという効果がある。
【００４０】
請求項７の発明は、請求項１の発明において、配線器具の突出部は、他方の側部の背面と挟持片の対向面との間に弾性挟持されることを特徴とし、突出部が挟持片のエッジ部と当接している場合に比べて、突出部と挟持片との接触面積が大きくなるから、配線器具に外力が加わった場合に突出部と挟持片との接触部位に加わる応力が低減され、配線器具や取付枠が破損するのを防止できるという効果がある。
【図面の簡単な説明】
【図１】本実施形態の取付枠の分解斜視図である。
【図２】同上の取付枠の外観斜視図である。
【図３】同上の取付枠の側面図である。
【図４】同上の取付枠の要部拡大断面図である。
【図５】同上の取付枠から配線器具を取り外す方法を説明する要部拡大断面図である。
【図６】同上の取付枠に配線器具を取り付けた状態を示し、（ａ）は側方から見た断面図、（ｂ）は側方から見た要部拡大断面図である。
【図７】同上の取付枠に用いる別の可撓部材の外観斜視図である。
【図８】従来の取付枠の施工状態を説明する説明図である。
【図９】従来の別の取付枠を示し、（ａ）は取付枠に配線器具を取り付けた状態の断面図、（ｂ）は取付枠に用いる可撓部材の外観斜視図である。
【符号の説明】
Ａ  取付枠
１  枠本体
２ａ，２ｂ  側部
５  係合突起
６  枠片
６ｃ  規制突起
２０  係止部材
２１  固定片
２３  撓み片
２４  挟持片
【図１】
0003582445.tif 000002
【図２】
0003582445.tif 000003
【図３】
0003582445.tif 000004
【図４】
0003582445.tif 000005
【図５】
0003582445.tif 000006
【図６】
0003582445.tif 000007
【図７】
0003582445.tif 000008
【図８】
0003582445.tif 000009
【図９】
0003582445.tif 000010